(57)【要約】【課題】無線ＬＡＮ基板６３と電磁シールド板６９によって覆われている情報処理基板とを接続するハーネスからのノイズの混入を抑えることができる複写機を提供する。【解決手段】外部機器との無線ＬＡＮ通信によって画像データを受信する無線ＬＡＮ基板６３と、無線ＬＡＮ基板６３に電線接続される情報処理基板と、この情報処理基板を覆う金属製の電磁シールド板６９とを備える複写機において、無線ＬＡＮ基板６３を情報処理基板と電磁シールド板６９との間の空間に配設し、且つ、電磁シールド板６９における無線ＬＡＮ基板６３との対向領域に、前記空間内の無線ＬＡＮ基板６３と、外部機器との無線ＬＡＮ通信を行うための通信開口６９ａを設けた。【選択図】図１１
2019014215.tif 000002
【特許請求の範囲】
【請求項１】
外部機器との無線通信によって画像データを受信する無線通信手段と、前記無線通信手段に電線接続される電子回路基板と、前記電子回路基板を覆う金属製の電磁シールド板とを備える画像形成装置において、
前記無線通信手段を前記電子回路基板と前記電磁シールド板との間の空間に配設し、且つ、前記電磁シールド板における前記無線通信手段との対向領域に、前記空間内の前記無線通信手段と、外部機器との通信を行うための通信開口を設けたことを特徴とする画像形成装置。
【請求項２】
請求項１の画像形成装置において、
前記空間内で前記無線通信手段の周囲を囲む金属製の囲いシールド部を設けたことを特徴とする画像形成装置。
【請求項３】
請求項２の画像形成装置において、
前記囲いシールド部における前記電子回路基板の側の開口である基板側開口と、前記通信開口の側の開口である通信側開口とのうち、前記基板側開口を塞ぐ金属製の閉塞シールド部を設けたことを特徴とする画像形成装置。
【請求項４】
請求項２又は３の画像形成装置において、
前記無線通信手段と前記電子回路基板とを接続する電線を自らの中に受け入れて、前記電線と前記囲いシールド部との位置干渉を避けるためのスリットを前記囲いシールド部に設けたことを特徴とする画像形成装置。
【請求項５】
請求項４の画像形成装置において、
前記電磁シールド板における前記通信開口の縁部から前記通信開口の中心に向けて延びる庇を形成して、前記スリットを介した電波の流通を阻害する金属製の庇シールド部を設けたことを特徴とする画像形成装置。
【請求項６】
請求項１乃至５の何れか一項に記載の画像形成装置において、
前記空間内で前記無線通信手段を保持する保持体を絶縁性材料で構成したことを特徴とする画像形成装置。
【請求項７】
請求項１乃至６の何れか一項に記載の画像形成装置であって、
前記無線通信手段が、無線ＬＡＮ基板であることを特徴とする画像形成装置。
【発明の詳細な説明】
【技術分野】
【０００１】
本発明は画像形成装置に関するものである。
【背景技術】
【０００２】
従来、外部機器との無線通信によって画像データを受信する無線通信手段と、無線通信手段に電線接続される電子回路基板と、電子回路基板を覆う金属製の電磁シールド板とを備える画像形成装置が知られている。
【０００３】
例えば、特許文献１に記載の画像形成装置は、電磁シールド板たる上シールド用板金部材と、下シールド用板金部材とで構成されるシールドケースの中に、電子回路基板たる主制御基板を収容することで、主制御基板に対する電気的ノイズの混入を抑えている。主制御基板には、シールドケースの外に配設された無線通信手段たる無線ＬＡＮボードが電線としてのハーネスによって電線接続されている。画像形成装置の本体筐体内には、電話親機と、無線電話基板とが設けられており、この無線電話基板は電話子機に向けて発する電波をノイズとして主制御基板に混入させるおそれがある。そこで、この画像形成装置では、無線電話基板を本体筐体内における主制御基板から大きく離れた位置に固定することで、無線電話基板の発する電波による主制御基板へのノイズ混入を有効に抑えることが可能になっているとされている。
【発明の概要】
【発明が解決しようとする課題】
【０００４】
しかしながら、この画像形成装置においては、シールドケース内にある主制御基板と、シールドケースの外にある無線ＬＡＮボードとを接続するハーネスの大部分が、シールドケースの外に剥き出しになっている。このため、無線電話基板の発する電波や、その他の、シールドケースの外で発生する電波を、ハーネスからノイズとして主制御基板へ混入させるおそれがある。
【課題を解決するための手段】
【０００５】
上述した課題を解決するために、本発明は、外部機器との無線通信によって画像データを受信する無線通信手段と、前記無線通信手段に電線接続される電子回路基板と、前記電子回路基板を覆う金属製の電磁シールド板とを備える画像形成装置において、前記無線通信手段を前記電子回路基板と前記電磁シールド板との間の空間に配設し、且つ、前記電磁シールド板における前記無線通信手段との対向領域に、前記空間内の前記無線通信手段と、外部機器との通信を行うための通信開口を設けたことを特徴とするものである。
【発明の効果】
【０００６】
本発明によれば、無線通信手段と電子回路基板とを接続する電線からのノイズの混入を抑えることができるという優れた効果がある。
【図面の簡単な説明】
【０００７】
【図１】実施形態に係る複写機のプリンタを示す概略構成図。
【図２】同プリンタのＫ用の作像ユニットを示す概略構成図。
【図３】同複写機を示す斜視図。
【図４】同複写機を示す側面図。
【図５】同複写機の電気回路の要部を示すブロック図。
【図６】同プリンタにおける電装部の内部構成の一部を示す背面図。
【図７】複写機を後側から示す背面図。
【図８】本発明を適用していない複写機を後側から示す背面図。
【図９】同複写機のプリンタにおける電装部の電磁シールド板を示す斜視図。
【図１０】実施形態に係る複写機のプリンタにおける電装部の電磁シールド板を示す斜視図。
【図１１】同プリンタの背面カバーを外した状態の同複写機を示す背面図。
【図１２】同プリンタの電装部の情報処理基板、仕切板、及び電装側板を示す平面図。
【図１３】同仕切板を示す斜視図。
【図１４】同電装側板を示す斜視図。
【図１５】同電装部の桁板を示す斜視図。
【図１６】同電装部に固定された状態の仕切板、電装側板、及び桁板を示す斜視図。
【図１７】同電装部における情報処理基板、仕切板、電装側板、及び桁板を示す平面図。
【図１８】同電装部における情報処理基板、仕切板、電装側板、桁板、及び無線ＬＡＮ基板を示す平面図。
【図１９】同電装部を示す側面図。
【図２０】同電装部における電磁シールド板、囲いシールド部材、及び庇シールド部材を示す分解斜視図。
【図２１】同電磁シールド部材及び同庇シールド部材を装着した状態の同電磁シールド板を示す斜視図。
【図２２】同囲いシールド部材を示す斜視図。
【図２３】同電磁シールド板に装着された囲いシールド部材と、桁板の表面から立ち上がるスタッドに保持される無線ＬＡＮ基板６３とを示す斜視図。
【図２４】同電装部の長手方向における全域のうち、無線ＬＡＮ基板の付近の領域を示す縦断面図。
【図２５】同庇シールド部材を示す斜視図。
【図２６】（ａ）は、電波の放射パターンを示す模式図、図２６（ｂ）は、複写機の周囲における電波の伝搬状況を説明するための模式図。
【図２７】実施例に係る複写機のプリンタの電装部における桁板及びスタッドユニットを示す分解斜視図。
【図２８】同スタッドユニットがネジ止めされた同桁板を示す斜視図。
【図２９】変形例に係る複写機の電装部の内部構成を示す斜視図。
【図３０】同内部構成を示す平面図。
【図３１】同電装部の桁板と、これに固定される各種部材とを示す分解斜視図。
【図３２】同電装部の桁板と、これに固定された各種部材とを示す斜視図。
【発明を実施するための形態】
【０００８】
以下、本発明を適用した画像形成装置として、Ａ４サイズの記録シートに対する画像形成が可能なフルカラープリンタ（以下、プリンタ１００という）と、スキャナー５００とを搭載した複写機の一実施形態について説明する。
まず、実施形態に係る複写機のプリンタ１００の基本的な構成について説明する。図１は、プリンタ１００を示す概略構成図である。このプリンタ１００は、イエロー（Ｙ）、マゼンタ（Ｍ）、シアン（Ｃ）、ブラック（Ｋ）のトナー像の作像プロセスを実施する四つの作像ユニット１Ｙ，Ｍ，Ｃ，Ｋを備えている。四つの作像ユニット１Ｙ，Ｍ，Ｃ，Ｋは、画像形成物質として互いに異なる色のＹ，Ｍ，Ｃ，Ｋトナーを用いるが、それ以外は同様の構成になっており、寿命到達時に交換される。
【０００９】
以下、Ｋトナー像を作像するＫ用の作像ユニット１Ｋを例にして作像プロセスやユニット構成について説明する。作像ユニット１Ｋは、図２に示されるように、ドラム状の感光体２Ｋ、ドラムクリーニング装置３Ｋ、帯電ローラ４Ｋ、現像装置５Ｋ、薄層化ブレード１２Ｋ、トナーカートリッジ１３Ｋ、ＬＥＤヘッド４５Ｋなどを有している。
【００１０】
潜像担持体としてのドラム状の感光体２Ｋは、ドラム状の導電性支持体の周面に、光導電性層と絶縁層とが被覆されたものであり、駆動手段によって図中時計回り方向に回転駆動される。そして、帯電バイアスが印加される帯電ローラ４Ｋとの対向位置において、一様な電位に帯電せしめられる。帯電後の感光体２Ｋの表面に対しては、画像情報に基づいて駆動されるＬＥＤヘッド４５Ｋから照射される書き込み光による光走査が行われる。この光走査によって露光された感光体２Ｋ表面箇所は、表面電位を光減衰させて静電潜像を担持する。
【００１１】
ＬＥＤヘッド４５Ｋは、感光体２Ｋの回転軸線方向に複数配列されたＬＥＤ等の発光素子のそれぞれから発した光を、同じく回転軸線方向に複数配列されたレンズに通した後に感光体２Ｋの表面に到達させるものである。ＬＥＤヘッド４５の照射する光は画像を結像するものであることから、ＬＥＤヘッド４５Ｋとしては、解像度や指向性の高いものが用いられている。発光素子としては、ＬＥＤに代えて、有機ＥＬ素子など、ＬＥＤと同様の解像度や指向性をもつものを用いてもよい。
【００１２】
現像装置５Ｋは、ホッパ部６Ｋ、現像部７Ｋ、上搬送スクリュー８Ｋ、下搬送スクリュー９Ｋ、トナー供給ローラ１０Ｋ、現像ローラ１１Ｋなどを有している。また、現像装置５Ｋのホッパ部６Ｋには、これの上方に配設されたトナーカートリッジ１３Ｋが接続されている。トナーカートリッジ１３Ｋ内に収容されるＫトナーは、必要に応じて現像装置５Ｋのホッパ部６Ｋ内に補給される。
【００１３】
ホッパ部６Ｋ内に補給されたＫトナーは、上搬送スクリュー８Ｋや、これの下方に配設された下搬送スクリュー９Ｋの回転駆動によって撹拌されてマイナス極性に帯電しながら、自重によって現像部７Ｋのトナー供給ローラ１０Ｋ上に落下する。
【００１４】
現像部７Ｋ内に配設されたトナー供給ローラ１０Ｋは、金属製の芯金と、これの表面に被覆された発泡樹脂等からなるローラ部とを有しており、ホッパ部６Ｋ内から落下してきたＫトナーをローラ部の表面で捕捉しながら回転する。このトナー供給ローラ１０Ｋの図中左側方に配設された現像剤担持体としての現像ローラ１１Ｋは、トナー供給ローラ１０Ｋに当接しながら回転する。この現像ローラ１１Ｋには現像バイアスが印加されているのに対し、トナー供給ローラ１０Ｋには供給バイアスが印加されている。何れのバイアスもＫトナーの正規帯電極性と同じマイナス極性であるが、絶対値は現像バイアスの方が小さい。このため、トナー供給ローラ１０Ｋと現像ローラ１１Ｋとの当接部において、トナー供給ローラ１０Ｋ上のＫトナーが現像ローラ１１Ｋ上に移動する。
【００１５】
現像ローラ１１Ｋには、片持ち支持される薄層化ブレード１２Ｋの自由端側が当接している。トナー供給ローラ１０Ｋから現像ローラ１１Ｋに供給されたＫトナーの層は、現像ローラ１１Ｋの回転に伴って現像ローラ１１Ｋと薄層化ブレード１２Ｋとの当接部に進入して所定の層厚に薄層化される。その後、現像ローラ１１Ｋの回転に伴って、現像ローラ１１Ｋと感光体２Ｋとの当接部に進入する。
【００１６】
感光体２Ｋの地肌部電位（非露光部電位）や潜像電位（露光部電位）は何れもトナーの正規帯電極性と同じマイナス極性である。また、上述したように、現像ローラ１１Ｋに印加される現像バイアスもマイナス極性である。それらの絶対値は、地肌部電位が最も大きく、現像バイアスがその次に大きい。このため、現像ローラ１１Ｋと感光体２Ｋとの当接部における全域のうち、現像ローラ１１Ｋと感光体２Ｋの地肌部との間においては、Ｋトナーを地肌部側から現像ローラ１１Ｋ側に静電移動させる電界が作用する。一方、現像ローラ１１Ｋと感光体２Ｋの静電潜像との間においては、Ｋトナーを現像ローラ１１Ｋ側から静電潜像側に静電移動させる電界が作用する。これにより、現像ローラ１１Ｋ上のＫトナーが感光体２Ｋの静電潜像に選択的に付着して静電潜像を現像し、この現像によって感光体２Ｋの表面上にＫトナー像が形成される。
【００１７】
Ｙ，Ｍ，Ｃ用の作像ユニット１Ｙ，１Ｍ，１Ｃにおいても、Ｋ用と同様にして、感光体２Ｙ，２Ｍ，２Ｃの表面上にＹトナー像，Ｍトナー像，Ｃトナー像が形成される。Ｋ用の感光体２Ｋの表面上に形成されたＫトナー像は、後述する一次転写ニップで中間転写ベルト１６の表面上に一次転写される。一次転写ニップを通過した感光体２Ｋの表面には、中間転写ベルト１６の表面上に一次転写されなかった転写残トナーが付着している。この転写残トナーは、ドラムクリーニング装置３Ｋによって感光体２Ｋの表面上から除去される。
【００１８】
図１において、作像ユニット１Ｙ，１Ｍ，１Ｃ，１Ｋの鉛直方向下方には、無端状の中間転写ベルト１６を張架しながら図中反時計回り方向に無端移動せしめる転写ユニット１５が配置されている。この転写ユニット１５は、中間転写ベルト１６の他に、駆動ローラ１７、従動ローラ１８、４つの一次転写ローラ１９Ｙ，１９Ｍ，１９Ｃ，１９Ｋ、ベルトクリーニング装置２１などを有している。
【００１９】
中間転写ベルト１６は、そのループ内側に配置された駆動ローラ１７、従動ローラ１８、４つの一次転写ローラ１９Ｙ，１９Ｍ，１９Ｃ，１９Ｋによって張架されている。そして、駆動手段によって図中反時計回り方向に回転駆動される駆動ローラ１７の回転力により、同方向に無端移動せしめられる。
【００２０】
Ｙ，Ｍ，Ｃ，Ｋ用の一次転写ローラ１９Ｙ，１９Ｍ，１９Ｃ，１９Ｋは、無端移動する中間転写ベルト１６を感光体２Ｙ，２Ｍ，２Ｃ，２Ｋとの間に挟み込んでいる。この挟み込みにより、中間転写ベルト１６のおもて面と、感光体２Ｙ，２Ｍ，２Ｃ，２Ｋとが当接するＹ，Ｍ，Ｃ，Ｋ用の一次転写ニップが形成されている。
【００２１】
一次転写ローラ１９Ｙ，１９Ｍ，１９Ｃ，１９Ｋのそれぞれには、転写バイアス電源によってプラス極性の一次転写バイアスが印加されている。これにより、Ｙ，Ｍ，Ｃ，Ｋ用の一次転写ニップ内では、感光体２Ｙ，２Ｍ，２Ｃ，２Ｋの静電潜像と、一次転写ローラ１９Ｙ，１９Ｍ，１９Ｃ，１９Ｋとの間に、トナーを感光体側からベルト側に静電移動させる一次転写電界が形成される。なお、一次転写ローラ１９Ｙ，１９Ｍ，１９Ｃ，１９Ｋに代えて、転写チャージャーや転写ブラシ等の転写手段を用いてもよい。
【００２２】
Ｙ用の作像ユニット１Ｙの感光体２Ｙ表面に形成されたＹトナーは、感光体２Ｙの回転に伴ってＹ用の一次転写ニップに進入すると、一次転写電界やニップ圧の作用によって中間転写ベルト１６の表面上に一次転写される。このようにしてＹトナー像が一次転写された中間転写ベルト１６には、その無端移動に伴ってＭ，Ｃ，Ｋ用の一次転写ニップを通過するときに、感光体２Ｍ，２Ｃ，２Ｋ上のＭトナー像，Ｃトナー像，Ｋトナー像が一次転写される。この重ね合わせの一次転写により、中間転写ベルト１６上には四色トナー像が形成される。
【００２３】
転写ユニット１５において、中間転写ベルト１６のループ外側に配置された二次転写ローラ２０は、ループ内側の従動ローラ１８との間に中間転写ベルト１６を挟み込んでいる。この挟み込みにより、中間転写ベルト１６のおもて面と、二次転写ローラ２０とが当接する二次転写ニップが形成されている。二次転写ローラ２０には、転写バイアス電源によってプラス極性の二次転写バイアスが印加される。これにより、二次転写ローラ２０と、アース接続されている従動ローラとの間には、二次転写電界が形成される。
【００２４】
転写ユニット１５の鉛直方向下方には、記録シートＳを複数枚重ねたシート束の状態で収容している給送カセット３０がプリンタの筐体に対してスライド着脱可能に配置されている。この給送カセット３０は、シート束の一番上の記録シートＳに給送ローラ３０ａを当接させており、これを所定のタイミングで図中反時計回り方向に回転させることで、その記録シートＳを転写前搬送路３１に向けて送り出す。
【００２５】
転写前搬送路３１の末端付近には、レジストローラ対３２が配置されており、このレジストローラ対３２は、給送カセット３０から送り出された記録シートＳをローラ間に挟み込むとすぐに両ローラの回転を停止させる。そして、挟み込んだ記録シートＳを上述の二次転写ニップ内で中間転写ベルト１６上の四色トナー像に同期させ得るタイミングで回転駆動を再開して、記録シートＳを二次転写ニップに向けて送り出す。
【００２６】
二次転写ニップで記録シートＳに密着させられた中間転写ベルト１６上の四色トナー像は、二次転写電界やニップ圧の影響を受けて記録シートＳ上に一括二次転写されてフルカラートナー像となる。このようにして表面にフルカラートナー像が形成された記録シートＳは、二次転写ニップを通過すると、二次転写ローラ２０や中間転写ベルト１６から曲率分離する。そして、転写後搬送路３３を経由して、後述する定着装置３４に送り込まれる。
【００２７】
二次転写ニップを通過した後の中間転写ベルト１６には、記録シートＳに二次転写されなかった転写残トナーが付着している。この転写残トナーは、中間転写ベルト１６のおもて面に当接しているベルトクリーニング装置２１によってベルト表面からクリーニングされる。
【００２８】
定着装置３４は、ハロゲンランプ等の発熱源を内包する定着ローラ３４ａと、これに所定の圧力で当接しながら回転する加圧ローラ３４ｂとによって定着ニップを形成している。定着装置３４内に送り込まれた記録シートＳは、その未定着トナー像担持面を定着ローラ３４ａに密着させるようにして、定着ニップに挟まれる。そして、加熱や加圧に伴うトナーの軟化によって表面にフルカラー画像が定着される。定着装置３４内から排出された記録シートＳは、定着後搬送路３５と排紙ローラ対３６とを経て機外へと排出され、筐体の上カバー５０の上面であるスタック部にスタックされる。
【００２９】
図３は、実施形態に係る複写機を示す斜視図である。また、図４は、同複写機を示す側面図である。この複写機は、プリンタ１００と、これの上に載置されたスキャナー５００とを備えている。プリンタ１００の正面側の上部には、タッチパネルや各種のキーを具備する操作表示部５２が設けられている。また、図４に示されるように、プリンタ１００の背面部には電装部６０が設けられている。
【００３０】
図５は、複写機の電気回路の要部を示すブロック図である。プリンタ１００の電装部６０は、電気機器として、情報処理基板６１、ＦＡＸ基板６２、無線ＬＡＮ基板６３、スピーカー６４、ファン７３、主制御基板７４などを有している。主制御基板７４と情報処理基板６１とは、ハーネスによって互いに接続されている。
【００３１】
主制御基板７４は、プリンタ１００内の各種機器の駆動を制御したり、各種センサーから情報を取得したりするものである。この主制御基板７４には、プリンタ１００における各種センサー、各種モータードライバー、各種電源、ファン７３、各色のＬＥＤヘッド（４５Ｙ，４５Ｍ，４５Ｃ，４５Ｋ）などが接続されている。なお、ファン７３は、機内の空気を機外に排出するものである。
【００３２】
情報処理基板６１は、各種の画像情報、音声情報、通信情報などを処理するものである。この情報処理基板６１には、スキャナー５００や、プリンタ１００の操作表示部５２などが接続されている。また、電装部６０のＦＡＸ基板６２、無線ＬＡＮ基板６３、スピーカー６４なども接続されている。
【００３３】
ＦＡＸ基板６２は、電話回線を通じてＦＡＸ通信を行うためのものである。ＦＡＸ基板６２で受信した画像情報は、情報処理基板６１によって必要な処理が施された後、主制御基板７４に送られる。主制御基板７４は、その画像情報に基づいて各種機器を制御することで、ＦＡＸ画像をプリントする。
【００３４】
スピーカー６４は、情報処理基板６１から送られてくる音声信号をアナログ音声として出力するものである。
【００３５】
無線通信手段としての無線ＬＡＮ基板６３は、無線ＬＡＮを利用した無線通信によってパソコンなどから送られてくる画像情報や各種の情報を受信したり、各種の信号を送信したりするものである。この無線ＬＡＮ基板６３には、無線ＬＡＮ電波を受信するためのアンテナ回路が設けられている。
【００３６】
無線ＬＡＮ基板６３によって受信された画像情報は、情報処理基板６１によって必要な処理が施された後、主制御基板７４に送られる。主制御基板７４は、その画像情報に基づいて各種機器を制御することで、受信画像をプリントする。
【００３７】
スキャナー５００によって読み取られた原稿画像は、スキャナー５００からプリンタ１００の情報処理基板６１に送られる。そして、情報処理基板６１によって必要な処理が施された後、主制御基板７４に送られる。主制御基板７４は、その画像情報に基づいて各種機器を制御することで、コピー画像をプリントする。
【００３８】
図６は、電装部６０の内部構成の一部を示す背面図である。電装部６０の主制御基板７４と情報処理基板６１とは、互いに横並びの状態で、プリンタ１００の後フレーム７５にネジ止めされている。
【００３９】
図７は、複写機を後側から示す背面図である。プリンタ１００の背面は、樹脂製の背面カバー７６によって覆われている。この背面カバー７６を取り外すと、電装部６０を外部に露出させることができる。
【００４０】
図８は、本発明を適用していない複写機を後側から示す背面図である。同図においては、背面カバーを取り外した状態の複写機を示している。背面カバーを取り外すと、電装部の電磁シールド板６９が露出する。同図においては、電磁シールド板６９に隠れていて示されていないが、電磁シールド板６９の裏側には、主制御基板や情報処理基板を固定した後フレームが存在している。図８に示される複写機においては、図９に示されるように、無線ＬＡＮ通信を行うための無線ＬＡＮ基板６３を、電磁シールド板６９のおもて面に固定している。主制御基板や情報処理基板などと同じように、電磁シールド板６９の裏側に無線ＬＡＮ基板６３を配設すると、無線ＬＡＮ通信を行うことができなくなるからである。電磁シールド板６９には、無線ＬＡＮ基板６３と情報処理基板６１とを電気接続するハーネス７２を通すための貫通口が設けられている。
【００４１】
かかる構成では、無線ＬＡＮ基板６３から情報処理基板６１への信号に、ハーネス７２から伝搬したノイズを混入させるおそれがあった。
【００４２】
次に、実施形態に係る複写機の特徴的な構成について説明する。
図１０は、実施形態に係る複写機のプリンタ１００における電磁シールド板６９を示す斜視図である。シールド板対の一方である電磁シールド板６９には、矩形状の比較的大きな通信開口６９ａが設けられている。電磁シールド板６９のおもて面には、無線ＬＡＮ基板６３が固定されていない。無線ＬＡＮ基板６３は、電磁シールド板６９の情報処理基板６１との間に配設されている。
【００４３】
図１１は、プリンタ１００の背面カバーを外した状態の同複写機を示す背面図である。電磁シールド板６９よりも内側（筐体の内部側）では、図示のように、無線ＬＡＮ基板６３が通信開口６９ａに対向するように固定されている。無線ＬＡＮ基板６３は、その通信開口６９ａを介して流通する電波によって無線ＬＡＮ通信を行うことができる。図示のように、無線ＬＡＮ基板６３と情報処理基板（図６の６１）とを電気接続するハーネスは、電磁シールド板６９の裏に隠れている。このようにハーネスを電磁シールド板６９の裏側に位置させることで、ハーネスからのノイズの混入を抑えることができる。
【００４４】
図１２は、電装部６０の情報処理基板６１、仕切板６５、及び電装側板６８を示す平面図である。なお、この平面図は、複写機本体を主体にすると背面図に相当するものである。つまり、電装部６０を複写機本体に搭載した状態では、複写機の背面側から眺めたアングルが、図１２の平面図のアングルになる。
【００４５】
同図において、情報処理基板６１、仕切板６５、及び電装側板６８のそれぞれは、ネジ止めによってプリンタ（１００）の後フレーム（図６の７５）に固定されている。仕切板６５は、後フレームと、電磁シールド板（６９）との間の空間を、情報処理基板６１を配設するための空間と、主制御基板（図５の７４）を配設するための空間とに仕切るように、後フレームの表面から立ち上がっている。また、電装側板６８は、電装部６０の側板として機能するように、後フレームの表面から立ち上がっている。
【００４６】
図１３は、仕切板６５を示す斜視図である。仕切板６５は、Ｌ字状に折れ曲がった形状をしており、折れ部を境にした一方が仕切りの役割を果たす。その一方には、情報処理基板（６１）と主制御基板（７４）との電気接続するハーネスを通すための開口が形成されている。
【００４７】
図１４は、電装側板６８を示す斜視図である。電装側板６８には、情報処理基板６１の後述するＩ／Ｏポートに具備される複数のコネクタを個別に露出させるための複数の開口が形成されている。
【００４８】
図１５は、電装部６０の桁板６６を示す斜視図である。この桁板６６は、部品や回路などを情報処理基板（６１）と電磁シールド板６９との間の空間に固定するためのものである。桁板６６には、無線ＬＡＮ基板（６３）を保持するための保持体たる金属製のスタッド６７が固定されている。なお、仕切板６５、電装側板６８、桁板６６は何れも金属製である。
【００４９】
図１６は、電装部６０に固定された状態の仕切板６５、電装側板６８、及び桁板６６を示す斜視図である。仕切板６５及び電装側板６８は、後フレーム（図６の７５）の表面から立ち上がるように、個別に後フレームにネジ止めされる。また、桁板６６は、仕切板６５と電装側板６８との間を架け渡しするように仕切板６５と電装側板６８とに係合した状態で、電装側板６８にネジ止めされている。
【００５０】
図１７は、情報処理基板６１、仕切板６５、電装側板６８、及び桁板６６を示す平面図である。図示のように、桁板６６は、情報処理基板６１よりも複写機の背面側（図中手前側）に位置するように固定される。
【００５１】
図１８は、情報処理基板６１、仕切板６５、電装側板６８、桁板６６、及び無線ＬＡＮ基板６３を示す平面図である。また、図１９は、電装部６０を示す側面図である。なお、図１９においては、便宜上、後述する囲いシールド部材７０や庇シールド部材７１の図示を省略している。
【００５２】
情報処理基板６１の一端部には、図１９に示されるように、Ｉ／Ｏポート６１’が設けられている。このＩ／Ｏポート６１’は、有線ＬＡＮコネクタ６１’ａ、ＵＳＢ−Ｂコネクタ６１’ｂ、ＵＳＢ−Ａコネクタ６１’ｃ、ｄｅｂｕｇコネクタ６１’ｄ、マイクロＳＤカードスロット６１’ｅ、及びＳＤカードスロット６１’ｆを具備している。
【００５３】
また、情報処理基板６１の一端部には、ＦＡＸ基板６２が設けられている。このＦＡＸ基板６２は、電話回線から送られてくる信号を入力するためのＬＩＮＥ−ＩＮコネクタ６２ａ、及び信号を電話回線に出力するためのＬＩＮＥ−ＯＵＴコネクタ６２ｂが設けられている。
【００５４】
無線ＬＡＮ基板６３は、桁板６６の表面に立設せしめられた二本のスタッド６７の先端に固定されることで、情報処理基板６１と電磁シールド板６９との間の空間に保持されている。そして、この状態で、図１１に示されるように、電磁シールド板６９の通信開口６９ａに対向することで、通信開口６９ａを通じて外部機器と無線ＬＡＮ通信を行う。
【００５５】
図２０は、電磁シールド板６９、囲いシールド部材７０、及び庇シールド部材７１を示す分解斜視図である。図示のように、電磁シールド板６９の通信開口６９ａの周縁には、囲いシールド部材７０と庇シールド部材７１とが装着される。それらが装着されても、図２１に示されるように、電磁シールド板６９の通信開口６９ａは装着前とほぼ変わらない面積で開口している。
【００５６】
図２２は、囲いシールド部材７０を示す斜視図である。囲いシールド部材７０は、角パイプ状の囲い部と、電磁シールド板６９にネジ止めするためのフランジ部とを有している。そして、囲い部は、第一囲い壁７０ａ、第二囲い壁７０ｂ、第三囲い壁７０ｃ、及び第四囲い壁７０ｄを具備している。各パイプ状の囲い部の外径は、電磁シールド板６９の通信開口６９ａの内径よりも少しだけ小さくなっている。この囲い部が電磁シールド板６９の通信開口６９ａに差し込まれると、電磁シールド板６９における通信開口６９ａの周縁部に、囲いシールド部材７０のフランジ部が引っ掛かる。
【００５７】
囲いシールド部材７０のフランジ部は、第一羽根部７０ｅ、第二羽根部７０ｆ、第三羽根部７０ｇ、及び第四羽根部７０ｈを具備しており、それぞれの羽根部には、ネジを通すためのネジ穴が設けられている。第一羽根部７０ｅは、角パイプ状の囲い部における第一囲い壁７０ａの後端から９０［°］折れ曲がっている。また、第二羽根部７０ｆは、囲い部における第二囲い壁７０ｂの後端から９０［°］折れ曲がっている。また、第三羽根部７０ｇは、囲い部における第三囲い壁７０ｃの後端から９０［°］折れ曲がっている。また、第四羽根部７０ｈは、囲い部における第四囲い壁７０ｄの後端から９０［°］折れ曲がっている。電磁シールド板６９の通信開口６９ａの周縁部に引っ掛かったフランジ部がその周縁部にネジ止めされることで、囲いシールド部材７０が電磁シールド板６９に固定される。
【００５８】
図２３は、電磁シールド板６９に装着された囲いシールド部材７０と、桁板６６の表面から立ち上がるスタッド６７に保持される無線ＬＡＮ基板６３とを示す斜視図である。同図においては、便宜上、電磁シールド板６９及び桁板６６の図示を省略している。電磁シールド板６９に装着された囲いシールド部材７０は、図示のように、スタッド６７に保持される無線ＬＡＮ基板６３の周囲を囲い部（７０ａ、７０ｂ、７０ｃ、７０ｄ）によって囲む。これにより、電磁シールド板６９の通信開口６９ａに対して斜め方向に進入して内外流通（電装部６０の中と外との流通）してしまう電波の量を低減することができる。
【００５９】
図２４は、電装部６０の長手方向における全域のうち、無線ＬＡＮ基板６３の付近の領域を示す縦断面図である。電磁シールド板６９に装着された囲いシールド部材７０の囲い部（７０ａ、７０ｂ、７０ｃ、７０ｄ）は、図示のようにその先端を桁板６６に接触させている。これにより、角パイプ状の囲い部における通信開口６９ａの側の開口である通信側開口と、情報処理基板６１の側の開口である基板側開口とのうち、基板側開口を塞ぐ閉塞シールド部として、金属製の桁板６６を機能させている。かかる構成では、基板側開口を通じて内外流通してしまう電波の量を低減することができる。
【００６０】
図２３において、囲いシールド部材７０の囲い部における第一囲い壁７０ａには、スリット７０ａ’が設けられている。このスリット７０ａ’は、図２４に示されるように、無線ＬＡＮ基板６３と情報処理基板６１とを接続する電線たるハーネス７２を自らの中に受け入れて、ハーネス７２と第一囲い壁７０ａとの位置干渉を避けるためのものである。このスリット７０ａ’があることで、ハーネス７２を取り付けたままで、囲いシールド部材７０を電磁シールド板６９に装着することができる。
【００６１】
ところが、そのスリット７０ａ’があることで、スリット７０ａ’を通じて内外流通する電波が発生してしまう。そこで、この複写機では、囲いシールド部材７０に、庇シールド部材７１を装着するようになっている。
【００６２】
図２５は、庇シールド部材７１を示す斜視図である。この庇シールド部材７１は、庇の役割を果たす庇部７１ａを具備している。また、庇部７１ａを片持ち支持するように庇部７１ａから９０［°］折れ曲がった片持ち支持部７１ｂや、片持ち支持部７１ｂから庇部７１ａとは反対方向に９０［°］折れ曲がった羽根部７１ｃも具備している。
【００６３】
庇シールド部材７１は、図２０、図２１に示されるように、電磁シールド板６９の通信開口６９ａの縁部に引っ掛けた羽根部（図２５の７１ｃ）をネジ止めされることで、電磁シールド板６９や囲いシールド部材７０に固定される。このように固定された状態では、図２４に示されるように、庇部７１ａを電磁シールド板６９の通信開口（６９ａ）の縁部から通信開口の中心に向けて延ばす。この庇部７１ａにより、囲いシールド部材７０の第一囲い壁７０ａのスリット７０ａ’を通じた電波の内外流通を阻害して、その電波の量を低減することができる。
【００６４】
図２６（ａ）は、電波の放射パターンを示す模式図である。また、図２６（ｂ）は、複写機の周囲における電波の伝搬状況を説明するための模式図である。床面から天井方向に伸びる一本のアンテナがあったとすると、その電波は図２６（ａ）にしめされるような放射パターンで伝搬する。図示のように、アンテナに垂直な方向において、アンテナに平行な方向よりも電波が良好に伝搬する。複写機が一般的な屋内に設置される条件では、床と天井とに囲まれた空間において、上下の長さよりも、それと垂直な横方向の長さが大きい。このため、図２６（ｂ）に示される上下長手方向パターンと、横長手方向パターンとのうち、横長手方向パターンで電波を伝搬させるように、無線ＬＡＮ基板６３のアンテナ回路を設計することが望ましい。
【００６５】
次に、実施形態に係る複写機に、より特徴的な構成を付加した実施例について説明する。なお、以下に特筆しない限り、実施例に係る複写機の構成は、実施形態と同様である。
【００６６】
図２７は、実施例に係る複写機のプリンタ１００の電装部６０における桁板６６及びスタッドユニットを示す分解斜視図である。スタッドユニットは、土台と、これの表面から立ち上がる二本のスタッド６７とが一体成形されたものであり、全体が絶縁性の樹脂材料からなる。このスタッドユニットが図２８に示されるように桁板６６にネジ止めされることで、スタッドユニットの表面上に樹脂製のスタッド６７を立設させている。
【００６７】
スタッド６７を絶縁性の樹脂材料で構成したことで、機外への電磁波ノイズの漏洩を抑えることができる。具体的には、スタッド６７が金属製であると、無線ＬＡＮ基板６３とハーネス７２と情報処理基板６１とスタッド６７を経由して無線ＬＡＮ基板６３に戻る電気的ループが生じて、これによって生じた電磁波ノイズが通信開口６９ａから機外に漏れてしまう。これに対し、スタッド６７を絶縁性の樹脂材料で構成すると、情報処理基板６１からスタッド６７を通じて無線ＬＡＮ基板６３に戻る経路を無くして、電気的ループの発生を回避する。これにより、機外への電磁波ノイズの漏洩を抑えることができる。
【００６８】
なお、樹脂製のスタッド６７に保持される無線ＬＡＮ基板６３は、ハーネス７２を通じてアースに接続されている。
【００６９】
次に、実施形態に係る複写機の変形例について説明する。
なお、以下に特筆しない限り、変形例に係る複写機の構成は実施形態と同様である。
【００７０】
図２９は、変形例に係る複写機の電装部６０の内部構成を示す斜視図である。また、図３０は、前記内部構成を示す平面図（複写機を主体にした場合には背面図）である。変形例に係る複写機の電装部６０においては、囲いシールド部として機能する部材を、電磁シールド板６９に固定するのではなく、桁板６６などに固定するようになっている。
【００７１】
図３１は、電装部６０の桁板６６と、これに固定される各種部材とを示す分解斜視図である。また、図３２は、桁板６６とこれに固定された各種部材とを示す斜視図である。図３１に示されるように、桁板６６には、大開口６６ｃ、及び中開口６６ｄが設けられている。大開口６６ｃは、図示のように、複合電磁シールド部材７７を受け入れるためのものである。
【００７２】
桁板６６には、桁板本体から９０［°］の角度で情報処理基板６１に向けて折れ曲がる上囲い壁６６ａ、及び下囲い壁６６ｂも設けられている。これら二つの囲い壁は、囲いシールド部の一部として機能する。
【００７３】
桁板６６の大開口６６ｃに受け入れられる複合電磁シールド部材７７は、情報処理基板６１に対向する平面を具備する閉塞板部７７ｃを具備している。また、この閉塞板部７７ｃの左右方向における両端のそれぞれから電磁シールド板６９に向けて９０［°］の角度で立ち上がる右囲い壁７７ａ、及び左囲い壁７７ｂも具備している。右囲い壁７７ａにおける閉塞板部７７ｃとは反対側の端には、その端から９０［°］の角度で折れ曲がっている右羽根部７７ｄが繋がっている。また、左囲い壁７７ｂにおける閉塞板部７７ｃとは反対側の端には、その端から９０［°］の角度で折れ曲がっている左羽根部７７ｅが繋がっている。
【００７４】
複合電磁シールド部材７７の閉塞板部７７ｃには、二本のスタッド６７が一体成型された樹脂製のスタッドユニットがネジ止めされる。そして、その二本のスタッド６７のそれぞれには、無線ＬＡＮ基板６３がネジ止めされる。スタッドユニット及び無線ＬＡＮ基板６３を固定した複合電磁シールド部材７７は、その右囲い壁７７ａ、左囲い壁７７ｂ、及び閉塞板部７７ｃを桁板６６の大開口６６ｃに挿入した状態で、右羽根部７７ｄ及び左羽根部７７ｅを桁板６６に引っ掛ける。そして、右羽根部７７ｄ、左羽根部７７ｅのそれぞれが桁板６６にネジ止めされることで固定される。
【００７５】
このようにして複合電磁シールド部材７７が固定された桁板６６は、次の各部材により、無線ＬＡＮ基板６３の周囲を囲む。即ち、図３２に示されるように、桁板６６の上囲い壁６６ａ及び下囲い壁６６ｂ、並びに、複合電磁シールド部材７７の右囲い壁７７ａ及び左囲い壁７７ｂによって無線ＬＡＮ基板６３の周囲を囲む。つまり、桁板６６の上囲い壁６６ａ及び下囲い壁６６ｂ、並びに、複合電磁シールド部材７７の右囲い壁７７ａ及び左囲い壁７７ｂの組み合わせを、囲いシールド部として機能させている。
【００７６】
また、その囲いシールド部における通信側開口と基板側開口とのうち、基板側開口を複合電磁シールド部材７７の閉塞板部７７ｃによって塞ぐことで、閉塞板部７７ｃを閉塞シールド部として機能させている。
【００７７】
なお、図３２における無線ＬＡＮ基板６３は、電磁シールド板６９の通信開口６９ａに対向している。また、一端側が情報処理基板６１のコネクターに接続されたハーネス（７２）は、他端側が図３１の桁板６６の中開口６６ｄに通された後に、無線ＬＡＮ基板６３のコネクターに接続される。また、変形例に係る複写機では、ハーネスと囲いシールド部との位置干渉が発生しないことから、囲いシールド部にはハーネスを受け入れさせるためのスリットを設けていない。このため、スリットを介した電波の内外流通を阻害するための庇シールド部も設けていない。
【００７８】
以上に説明したものは一例であり、次の態様毎に特有の効果を奏する。
［態様Ａ］
態様Ａは、外部機器（例えば無線ＬＡＮ通信可能なパソコン）との無線通信によって画像データを受信する無線通信手段（例えば無線ＬＡＮ基板６３）と、前記無線通信手段に電線接続される電子回路基板（例えば情報処理基板６１）と、前記電子回路基板を覆う金属製の電磁シールド板（例えば電磁シールド板６９）とを備える画像形成装置において、前記無線通信手段を前記電子回路基板と前記電磁シールド板との間の空間に配設し、且つ、前記電磁シールド板における前記無線通信手段との対向領域に、前記空間内の前記無線通信手段と、外部機器との通信を行うための通信開口（例えば通信開口６９ａ）を設けたことを特徴とするものである。
【００７９】
態様Ａでは、電子回路基板と電磁シールド板との間の空間において、殆どの領域が電磁シールド板によってシールドされるが、電磁シールド板に設けられた通信開口に対向する開口対向領域がシールドされない。この開口対向領域に無線通信手段が存在することで、通信開口を介した外部機器との無線通信を行うことが可能である。電子回路基板と無線通信手段とを電気接続する電線については、その全部をシールド可能な領域に位置させるか、あるいは、無線通信手段に接続される端部だけをシールドされない開口対向領域に位置させるものの、大部分をシールド可能な領域に位置させる。かかる構成では、電線の端部だけでなく、多くの部分を、電磁シールド板の外側に露出させていた従来構成に比べて、電線からのノイズの混入を抑えることができる。
【００８０】
［態様Ｂ］
態様Ｂは、態様Ａにおいて、前記空間内で前記無線通信手段の周囲を囲む金属製の囲いシールド部（例えば囲いシールド部材７０）を設けたことを特徴とするものである。かかる構成では、電気回路基板と電磁シールド板との間の空間内のうち、電磁シールド板の通信開口に対向しない非対向領域における開口対向領域との隣接部のシールド性を囲いシールド部によって高めることができる。
【００８１】
［態様Ｃ］
態様Ｃは、態様Ｂにおいて、前記囲いシールド部における前記電子回路基板の側の開口である基板側開口と、前記通信開口の側の開口である通信側開口とのうち、前記基板側開口を塞ぐ金属製の閉塞シールド部（例えば桁板６６）を設けたことを特徴とするものである。かかる構成では、電気回路基板と電磁シールド板との間の空間内のうち、無線通信手段と電子回路基板との間の領域のシールド性を閉塞シールド部によって高めることができる。
【００８２】
［態様Ｄ］
態様Ｄは、態様Ｂ又はＣにおいて、前記無線通信手段と前記電子回路基板とを接続する電線（例えばハーネス７２）を自らの中に受け入れて、前記電線と前記囲いシールド部との位置干渉を避けるためのスリット（例えばスリット７０ａ’）を前記囲いシールド部に設けたことを特徴とするものである。かかる構成では、電線を囲いシールド部に邪魔されることなく無線通信手段に接続することができる。
【００８３】
［態様Ｅ］
態様Ｅは、態様Ｄにおいて、前記電磁シールド板における前記通信開口の縁部から前記通信開口の中心に向けて延びる庇を形成して、前記スリットを介した電波の流通を阻害する金属製の庇シールド部（例えば庇シールド部材７１）を設けたことを特徴とするものである。かかる構成では、電気回路基板と電磁シールド板との間の空間内のうち、電磁シールド板の通信開口に対向しない非対向領域におけるスリットとの隣接部のシールド性を庇シールド部によって高めることができる。
【００８４】
［態様Ｆ］
態様Ｆは、態様Ａ〜Ｅの何れかにおいて、前記空間内で前記無線通信手段を保持する保持体（例えばスタッド６７）を絶縁性材料（例えば絶縁性の樹脂）で構成したことを特徴とするものである。かかる構成では、機内から通信開口を通じて外部に至る電磁波ノイズの漏洩を抑えることができる。
【００８５】
［態様Ｇ］
態様Ｇは、態様Ａ〜Ｆの何れかであって、前記無線通信手段が、無線ＬＡＮ基板であることを特徴とするものである。
【符号の説明】
【００８６】
６１：情報処理基板（電子回路基板）
６３：無線ＬＡＮ基板（無線通信手段）
６６：桁板（閉鎖シールド部）
６６ａ：上囲い壁（囲いシールド部の一部）
６６ｂ：下囲い壁（囲いシールド部の一部）
６７：スタッド
６９：電磁シールド板
６９ａ：通信開口
７０：囲いシールド部材（囲いシールド部）
７０ａ：スリット
７１：庇シールド部材（庇シールド部）
７２：ハーネス（電線）
７７：複合シールド部材
７７ａ：右囲い壁（囲いシールド部の一部）
７７ｂ：左囲い壁（囲いシールド部の一部）
７７ｃ：閉塞板部（閉塞シールド部）
【先行技術文献】
【特許文献】
【００８７】
【特許文献１】特許第４２５１１５１号
【図１】
2019014215.tif 000003
【図２】
2019014215.tif 000004
【図３】
2019014215.tif 000005
【図４】
2019014215.tif 000006
【図５】
2019014215.tif 000007
【図６】
2019014215.tif 000008
【図７】
2019014215.tif 000009
【図８】
2019014215.tif 000010
【図９】
2019014215.tif 000011
【図１０】
2019014215.tif 000012
【図１１】
2019014215.tif 000013
【図１２】
2019014215.tif 000014
【図１３】
2019014215.tif 000015
【図１４】
2019014215.tif 000016
【図１５】
2019014215.tif 000017
【図１６】
2019014215.tif 000018
【図１７】
2019014215.tif 000019
【図１８】
2019014215.tif 000020
【図１９】
2019014215.tif 000021
【図２０】
2019014215.tif 000022
【図２１】
2019014215.tif 000023
【図２２】
2019014215.tif 000024
【図２３】
2019014215.tif 000025
【図２４】
2019014215.tif 000026
【図２５】
2019014215.tif 000027
【図２６】
2019014215.tif 000028
【図２７】
2019014215.tif 000029
【図２８】
2019014215.tif 000030
【図２９】
2019014215.tif 000031
【図３０】
2019014215.tif 000032
【図３１】
2019014215.tif 000033
【図３２】
2019014215.tif 000034